(57)【要約】【課題】通知機能が正確でない機器が通知した場合でも、正確な通知を適切に行うことができる通知システムを提供する。【解決手段】通知システムは、第１通知手段を備え、詳細通知機能を有する第１機器と、第２通知手段を備え、簡易通知機能を有する第２機器と、第３通知手段を備え、詳細通知機能を有するとともに、第１機器および第２機器を制御する集中制御機器とを含んで構成され、第２機器は、通知を行う際に、通知内容を含む通知情報を生成する通知情報生成部を備え、集中制御機器は、第２機器による通知が、通知情報が示す通知内容を十分に示していないと判断された場合に、集中制御機器および第１機器のそれぞれの機器のうち、ユーザーに最も近い機器が、詳細通知機能を用いて、通知情報が示す通知内容の通知を行うように、それぞれの機器を制御する。【選択図】図１
2020190790.tif 000002
【特許請求の範囲】
【請求項１】
第１通知手段を備え、通知を行う際に通知内容を詳細に通知する詳細通知機能を有する第１機器と、
第２通知手段を備え、通知を行う際に通知内容を前記詳細通知機能よりも簡易的に通知する簡易通知機能を有する第２機器と、
第３通知手段を備え、通知を行う際に通知内容を詳細に通知する詳細通知機能を有するとともに、前記第１機器および前記第２機器を制御する集中制御機器と
を含んで構成され、
前記第２機器は、
前記通知を行う際に、前記通知内容を含む通知情報を生成する通知情報生成部を備え、
前記集中制御機器は、
前記第２機器による通知が、前記通知情報が示す前記通知内容を十分に示していないと判断された場合に、前記集中制御機器および前記第１機器のそれぞれの機器のうち、ユーザーに最も近い機器が、前記詳細通知機能を用いて、前記通知情報が示す前記通知内容の通知を行うように、それぞれの前記機器を制御する
通知システム。
【請求項２】
前記第２機器は、
前記通知が前記通知内容を十分に示しているか否かを判断する通知判断部を備える
請求項１に記載の通知システム。
【請求項３】
前記第１機器および前記第２機器と、それぞれの機器が有する通知機能とが関連付けられたデータベースを保持するサーバーをさらに含み、
前記集中制御機器は、
前記第２機器が前記通知を行う際に、前記データベースを参照し、前記通知が前記通知内容を十分に示しているか否かを判断する通知判断部を備える
請求項１に記載の通知システム。
【請求項４】
前記集中制御機器および前記第１機器のそれぞれは、
周囲に存在する前記ユーザーを検出する人体検出部を備え、
前記集中制御機器は、
前記通知が前記通知内容を十分に示していないと判断された場合に、前記人体検出部による検出結果に基づき、前記ユーザーに最も近い機器を選択する
請求項１〜３のいずれか一項に記載の通知システム。
【請求項５】
第１通知手段と、周囲の音声を収集する第１集音手段とを備え、通知を行う際に通知内容を詳細に通知する詳細通知機能を有する第１機器と、
通知音による通知を行う第２通知手段を備え、通知を行う際に通知内容を前記詳細通知機能よりも簡易的に通知する簡易通知機能を有する第２機器と、
前記第２機器からの前記通知音と、前記通知音が示す通知内容とが関連付けられたデータベースを保持するサーバーと、
第３通知手段と、周囲の音声を収集する第２集音手段とを備え、通知を行う際に通知内容を詳細に通知する詳細通知機能を有するとともに、前記第１機器を制御する集中制御機器と
を含んで構成され、
前記第２機器は、
前記通知を行う際に、前記通知内容を含む通知情報を生成する通知情報生成部を備え、
前記集中制御機器は、
前記集中制御機器および前記第１機器のそれぞれで収集された前記音声に含まれる前記通知音に基づき、前記データベースを参照するデータベース確認部と、
前記データベースの参照結果に基づき、前記通知が前記通知内容を十分に示しているか否かを判断する通知判断部と
を備え、
前記第２機器による通知が前記通知内容を十分に示していないと判断された場合に、前記集中制御機器および前記第１機器のそれぞれの機器のうち、ユーザーに最も近い機器が、前記詳細通知機能を用いて、前記通知情報が示す前記通知内容の通知を行うように、それぞれの前記機器を制御する
通知システム。
【請求項６】
前記集中制御機器は、
前記集中制御機器および前記第１機器のそれぞれの機器のうち、前記通知音の音圧レベルが最も高い機器および前記通知音を最初に収集した機器のいずれかの機器を、前記通知情報が示す前記通知内容の通知を行う機器として選択する接続機器制御部を備える
請求項５に記載の通知システム。
【請求項７】
前記第１通知手段および前記第３通知手段は、
画像を表示する表示部であり、
前記通知を行う場合に、前記通知内容に関するコード画像が表示される
請求項１〜６のいずれか一項に記載の通知システム。
【発明の詳細な説明】
【技術分野】
【０００１】
本発明は、機器の動作に応じた通知を行う通知システムに関するものである。
【背景技術】
【０００２】
従来、ユーザーの質問を契機に、質問に対する回答となる映像または音声等の再生情報をサーバーから取得し、取得した再生情報を再生するスマートディスプレイまたはスマートスピーカー等のスマートデバイスが知られている（例えば、特許文献１参照）。特許文献１に記載のスマートデバイスとしての音声処理装置は、ユーザーの質問に対する回答を音声処理装置から出力するだけでなく、音声処理装置に接続された他の機器から出力することもできる。
【先行技術文献】
【特許文献】
【０００３】
【特許文献１】特開２０１８−１８２６９２号公報
【特許文献２】特開２０１５−１８５０２号公報
【発明の概要】
【発明が解決しようとする課題】
【０００４】
ところで、スマートデバイスに接続された他の機器のうち、簡易的な通知機能しか有していない機器から通知が行われたときで、一般的な通知とは異なる通知が行われた場合、ユーザーは、通知を受けただけでは、通知内容を正確に理解することが困難である。
【０００５】
特許文献１に記載のスマートデバイスとしての音声処理装置は、当該装置への入力に対する出力を、音声処理装置ではなく、接続された他の機器から出力することはできるが、接続された他の機器からの出力を音声処理装置から出力することはできない。そのため、特許文献１に記載の音声処理装置は、簡易的な通知機能しか有していない機器から行われた通知の内容を正確に通知することができない。
【０００６】
本発明は、上記の課題に鑑みてなされたものであって、通知機能が正確でない機器が通知した場合でも、正確な通知を適切に行うことができる通知システムを提供することを目的とする。
【課題を解決するための手段】
【０００７】
本発明の通知システムは、第１通知手段を備え、通知を行う際に通知内容を詳細に通知する詳細通知機能を有する第１機器と、第２通知手段を備え、通知を行う際に通知内容を前記詳細通知機能よりも簡易的に通知する簡易通知機能を有する第２機器と、第３通知手段を備え、通知を行う際に通知内容を詳細に通知する詳細通知機能を有するとともに、前記第１機器および前記第２機器を制御する集中制御機器とを含んで構成され、前記第２機器は、前記通知を行う際に、前記通知内容を含む通知情報を生成する通知情報生成部を備え、前記集中制御機器は、前記第２機器による通知が、前記通知情報が示す前記通知内容を十分に示していないと判断された場合に、前記集中制御機器および前記第１機器のそれぞれの機器のうち、ユーザーに最も近い機器が、前記詳細通知機能を用いて、前記通知情報が示す前記通知内容の通知を行うように、それぞれの前記機器を制御するものである。
【０００８】
また、本発明の通知システムは、第１通知手段と、周囲の音声を収集する第１集音手段とを備え、通知を行う際に通知内容を詳細に通知する詳細通知機能を有する第１機器と、通知音による通知を行う第２通知手段を備え、通知を行う際に通知内容を前記詳細通知機能よりも簡易的に通知する簡易通知機能を有する第２機器と、前記第２機器からの前記通知音と、前記通知音が示す通知内容とが関連付けられたデータベースを保持するサーバーと、第３通知手段と、周囲の音声を収集する第２集音手段とを備え、通知を行う際に通知内容を詳細に通知する詳細通知機能を有するとともに、前記第１機器を制御する集中制御機器とを含んで構成され、前記第２機器は、前記通知を行う際に、前記通知内容を含む通知情報を生成する通知情報生成部を備え、前記集中制御機器は、前記集中制御機器および前記第１機器のそれぞれで収集された前記音声に含まれる前記通知音に基づき、前記データベースを参照するデータベース確認部と、前記データベースの参照結果に基づき、前記通知が前記通知内容を十分に示しているか否かを判断する通知判断部とを備え、前記第２機器による通知が前記通知内容を十分に示していないと判断された場合に、前記集中制御機器および前記第１機器のそれぞれの機器のうち、ユーザーに最も近い機器が、前記詳細通知機能を用いて、前記通知情報が示す前記通知内容の通知を行うように、それぞれの前記機器を制御するものである。
【発明の効果】
【０００９】
本発明による通知システムは、簡易通知機能を有する第２機器から通知が行われた場合に、ユーザーに最も近い、詳細通知機能を有する機器が通知を行う。これにより、簡易通知機能を有する機器に代わり、詳細通知機能を有する機器によって通知が行われるため、通知機能が正確でない機器が通知した場合でも、正確な通知を適切に行うことができる。
【図面の簡単な説明】
【００１０】
【図１】実施の形態１に係る通知システムの構成の一例を示す概略図である。
【図２】図１のスマートデバイスの構成の一例を示すブロック図である。
【図３】図２の制御装置の構成の一例を示す機能ブロック図である。
【図４】図３の制御装置の構成の一例を示すハードウェア構成図である。
【図５】図３の制御装置の構成の他の例を示すハードウェア構成図である。
【図６】図１の第１機器の構成の一例を示すブロック図である。
【図７】図６の制御装置の構成の一例を示す機能ブロック図である。
【図８】図１の第２機器の構成の一例を示すブロック図である。
【図９】図８の制御装置の構成の一例を示す機能ブロック図である。
【図１０】実施の形態１に係る通知システムによる通知処理の流れの一例を示すフローチャートである。
【図１１】詳細な通知を行う場合の第１機器の表示部の表示例について説明するための概略図である。
【図１２】実施の形態２に係るスマートデバイスの制御装置の構成の一例を示す機能ブロック図である。
【図１３】実施の形態２に係る通知システムによる通知処理の流れの一例を示すフローチャートである。
【図１４】実施の形態３に係る通知システムの構成の一例を示す概略図である。
【図１５】図１４のスマートデバイスの構成の一例を示すブロック図である。
【図１６】図１５の制御装置の構成の一例を示す機能ブロック図である。
【図１７】図１４の第１機器の構成の一例を示すブロック図である。
【図１８】図１７の制御装置の構成の一例を示す機能ブロック図である。
【図１９】図１４の第２機器の構成の一例を示すブロック図である。
【図２０】図１９の制御装置の構成の一例を示す機能ブロック図である。
【図２１】実施の形態３に係る通知システムによる通知処理の流れの一例を示すフローチャートである。
【発明を実施するための形態】
【００１１】
実施の形態１．
以下、本実施の形態１に係る通知システムについて説明する。本実施の形態１に係る通知システムは、スマートスピーカー等のスマートデバイスに複数の機器が接続され、スマートデバイスの制御に基づき、接続された複数の機器が制御されるものである。
【００１２】
［通知システム１００の構成］
図１は、本実施の形態１に係る通知システム１００の構成の一例を示す概略図である。図１に示すように、通知システム１００は、スマートデバイス１、第１機器２、第２機器３およびサーバー４で構成されている。通知システム１００において、スマートデバイス１と、第１機器２および第２機器３とが、それぞれ有線または無線で接続されている。また、スマートデバイス１は、インターネット等のネットワーク５を介してサーバー４と有線または無線で接続されている。
【００１３】
スマートデバイス１には、後述する通知手段１３としての音声出力部１３ａが設けられている。第１機器２には、後述する通知手段２２として、音声出力部２２ａおよび表示部２２ｂの少なくとも一方が設けられている。第２機器３には、後述する通知手段３２として、音声出力部３２ａおよび表示部３２ｂの少なくとも一方が設けられている。
【００１４】
（スマートデバイス１）
スマートデバイス１は、例えば、スマートスピーカーまたはスマートディスプレイであり、接続された第１機器２および第２機器３を制御する集中制御機器である。また、スマートデバイス１は、図示しない集音手段を有し、ユーザーからの質問を収集して、ネットワーク５上のサーバー４から質問に対する回答を適切に導くＡＩ（Ａｒｔｉｆｉｃｉａｌ  Ｉｎｔｅｌｌｉｇｅｎｃｅ）アシスタント機能を有している。さらに、スマートデバイス１は、周囲のユーザーを検出する人体検出機能を有している。
【００１５】
図２は、図１のスマートデバイス１の構成の一例を示すブロック図である。図２に示すように、スマートデバイス１は、制御装置１０、第１の通信手段１１、第２の通信手段１２および通知手段１３を備えている。なお、スマートデバイス１は、さらに、ユーザーからの質問を収集するための図示しない入力部を有するが、本実施の形態１との関連が低いため、ここでは説明を省略する。
【００１６】
第１の通信手段１１は、サーバー４との間で行われる通信を、制御装置１０の命令に基づいて制御する。例えば、第１の通信手段１１は、図示しない入力部から入力されたユーザーからの質問に対する回答を示す情報を、サーバー４から受信する。
【００１７】
第２の通信手段１２は、ＷｉＦｉ（登録商標）、Ｂｌｕｅｔｏｏｔｈ（登録商標）およびＬＡＮ等の通信方式を用いて、第１機器２および第２機器３との間で行われる通信を、制御装置１０の命令に基づいて制御する。例えば、第２の通信手段１２は、第１機器２および第２機器３との間で、通知情報の送受信を行う。通知情報は、第２機器３等の機器でユーザーに対して通知すべき内容を含む情報である。
【００１８】
通知手段１３は、例えば、音声を出力するスピーカー等の音声出力部１３ａ（図１参照）であり、通知情報が示す通知内容をユーザーに対して通知する。このときの通知手段１３は、通知内容を詳細に通知することができる。例えば、通知手段１３が音声出力部１３ａである場合、音声出力部１３ａは、例えば、人の声を模擬した合成音声等を出力することにより、詳細な通知を行う。
【００１９】
制御装置１０は、通知手段１３による通知の制御等、スマートデバイス１全体を制御する。特に、本実施の形態１において、制御装置１０は、第２の通信手段１２を介して第２機器３の通知状態を示す情報を取得し、取得した情報に基づき第２機器３による通知が正確であるか否かを判断する。そして、制御装置１０は、判断結果に基づき、接続された第１機器２および第２機器３を制御するように、第１の通信手段１１および第２の通信手段１２の通信を制御する。
【００２０】
図３は、図２の制御装置１０の構成の一例を示す機能ブロック図である。図３に示すように、制御装置１０は、人体検出部１０１、ユーザー確認部１０２、通知制御部１０３、通信制御部１０４および接続機器制御部１０５を備えている。制御装置１０は、ソフトウェアを実行することにより各種機能を実現するマイクロコンピュータなどの演算装置、もしくは各種機能に対応する回路デバイスなどのハードウェア等で構成されている。
【００２１】
人体検出部１０１は、スマートデバイス１に設けられた図示しないセンサ等に基づき、第１機器２の周囲に存在するユーザーを検出する。例えば、スマートデバイス１にカメラ等の撮像装置が設けられている場合、人体検出部１０１は、撮像装置による画像に基づき、ユーザーの位置を検出することができる。
【００２２】
ユーザー確認部１０２は、接続された第１機器２の周囲にユーザーが存在するか否かを確認する。具体的には、ユーザー確認部１０２は、接続された第１機器２から受信した、ユーザーの検出結果を示す情報に基づき、接続された第１機器２とスマートデバイス１とのうち、ユーザーに最も近い機器を特定する。
【００２３】
通知制御部１０３は、スマートデバイス１で通知が必要となった場合に、通知手段１３を用いて通知を行うように、通知手段１３を制御する。通信制御部１０４は、第１の通信手段１１および第２の通信手段１２を制御する。具体的には、通信制御部１０４は、第１機器２に対する通知情報の送信、および、第２機器３からの通知情報等の受信を行うように、第２の通信手段１２を制御する。
【００２４】
接続機器制御部１０５は、スマートデバイス１に接続された第１機器２および第２機器３を制御する。具体的には、接続機器制御部１０５は、接続された第１機器２または第２機器３で通知を行うように、第１機器２および第２機器３を制御する。
【００２５】
図４は、図３の制御装置１０の構成の一例を示すハードウェア構成図である。制御装置１０の各種機能がハードウェアで実行される場合、図３の制御装置１０は、図４に示すように、処理回路４１で構成される。図３の制御装置１０において、人体検出部１０１、ユーザー確認部１０２、通知制御部１０３、通信制御部１０４および接続機器制御部１０５の各機能は、処理回路４１により実現される。
【００２６】
各機能がハードウェアで実行される場合、処理回路４１は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、またはこれらを組み合わせたものが該当する。制御装置１０は、人体検出部１０１、ユーザー確認部１０２、通知制御部１０３、通信制御部１０４および接続機器制御部１０５の各部の機能それぞれを処理回路４１で実現してもよいし、各部の機能を１つの処理回路４１で実現してもよい。
【００２７】
図５は、図３の制御装置１０の構成の他の例を示すハードウェア構成図である。制御装置１０の各種機能がソフトウェアで実行される場合、図３の制御装置１０は、図５に示すように、プロセッサ５１およびメモリ５２で構成される。制御装置１０において、人体検出部１０１、ユーザー確認部１０２、通知制御部１０３、通信制御部１０４および接続機器制御部１０５の各機能は、プロセッサ５１およびメモリ５２により実現される。
【００２８】
各機能がソフトウェアで実行される場合、制御装置１０において、人体検出部１０１、ユーザー確認部１０２、通知制御部１０３、通信制御部１０４および接続機器制御部１０５の機能は、ソフトウェア、ファームウェア、またはソフトウェアとファームウェアとの組み合わせにより実現される。ソフトウェアおよびファームウェアは、プログラムとして記述され、メモリ５２に格納される。プロセッサ５１は、メモリ５２に記憶されたプログラムを読み出して実行することにより、各部の機能を実現する。
【００２９】
メモリ５２として、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  ａｎｄ  Ｐｒｏｇｒａｍｍａｂｌｅ  ＲＯＭ）およびＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）等の不揮発性または揮発性の半導体メモリ等が用いられる。また、メモリ５２として、例えば、磁気ディスク、フレキシブルディスク、光ディスク、ＣＤ（Ｃｏｍｐａｃｔ  Ｄｉｓｃ）、ＭＤ（Ｍｉｎｉ  Ｄｉｓｃ）およびＤＶＤ（Ｄｉｇｉｔａｌ  Ｖｅｒｓａｔｉｌｅ  Ｄｉｓｃ）等の着脱可能な記録媒体が用いられてもよい。
【００３０】
（第１機器２）
図１の第１機器２は、例えばＩＨクッキングヒータであり、詳細な情報を通知することができる詳細通知機能を有している。また、第１機器２は、周囲のユーザーを検出する人体検出機能を有している。図６は、図１の第１機器２の構成の一例を示すブロック図である。図６に示すように、第１機器２は、制御装置２０、第３の通信手段２１および通知手段２２を備えている。なお、ここでいう「詳細な情報」とは、後述する第２機器３による通知情報が示す通知内容と一致する程度の情報を示す。
【００３１】
第３の通信手段２１は、ＷｉＦｉ（登録商標）、Ｂｌｕｅｔｏｏｔｈ（登録商標）およびＬＡＮ等の通信方式を用いて、スマートデバイス１との間で行われる通信を、制御装置２０の命令に基づいて制御する。例えば、第３の通信手段２１は、制御装置２０による制御に基づき、スマートデバイス１から通知情報を受信する。
【００３２】
通知手段２２は、通知情報が示す通知の内容を詳細に通知する。通知手段２２は、例えば、音声を出力するスピーカー等の音声出力部２２ａ、あるいは、画像または文字等を表示する表示部２２ｂ（図１参照）であり、音声および画像の一方または両方により、ユーザーに対する通知を行う。
【００３３】
通知手段２２が音声出力部２２ａである場合、音声出力部２２ａは、例えば、人の声を模擬した合成音声等を出力することにより、詳細な通知を行う。通知手段２２が表示部２２ｂである場合、表示部２２ｂは、ＬＣＤ（Ｌｉｑｕｉｄ  Ｃｒｙｓｔａｌ  Ｄｉｓｐｌａｙ）または有機ＥＬ（Ｅｌｅｃｔｒｏ  Ｌｕｍｉｎｅｓｃｅｎｃｅ）ディスプレイ等で構成され、ＬＣＤまたは有機ＥＬディスプレイに文字、静止画像または動画像等を表示することにより、詳細な通知を行う。
【００３４】
制御装置２０は、通知手段２２による通知の制御、および、第３の通信手段２１による通信の制御等、第１機器２全体を制御する。特に、本実施の形態１において、制御装置２０は、第３の通信手段２１を介してスマートデバイス１から通知情報を取得し、取得した通知情報に基づき、通知手段２２を制御して、通知情報に含まれる情報を表示および音声出力する。
【００３５】
図７は、図６の制御装置２０の構成の一例を示す機能ブロック図である。図７に示すように、制御装置２０は、通知情報生成部２０１、人体検出部２０２、通知制御部２０３および通信制御部２０４を備えている。制御装置２０は、ソフトウェアを実行することにより各種機能を実現するマイクロコンピュータなどの演算装置、もしくは各種機能に対応する回路デバイスなどのハードウェア等で構成されている。
【００３６】
通知情報生成部２０１は、第１機器２が動作している際に、通知が必要な状態が発生した場合に、ユーザーに対して通知すべき内容を含む通知情報を生成する。このとき、通知情報生成部２０１は、例えば、第１機器２に設けられた図示しないセンサ等の検出結果に基づき、通知情報を生成する。
【００３７】
人体検出部２０２は、第１機器２に設けられた図示しないセンサ等に基づき、第１機器２の周囲に存在するユーザーを検出する。例えば、第１機器２に赤外線センサが設けられている場合、人体検出部２０２は、赤外線センサによる熱量の検出結果に基づき、ユーザーの位置を検出することができる。
【００３８】
通知制御部２０３は、通知手段２２を制御する。具体的には、通知制御部２０３は、通知が必要となった場合に通知手段２２を用いて通知を行うように、通知手段２２を制御する。
【００３９】
通信制御部２０４は、第３の通信手段２１を制御する。具体的には、通信制御部２０４は、第１機器２の周囲のユーザーが検出された場合に、通知内容を含む通知情報とをスマートデバイス１から受信するように、第３の通信手段２１を制御する。また、通信制御部２０４は、第１機器２の周囲のユーザーが検出された場合、ユーザーを検出したことを示す情報をスマートデバイス１に送信するように、第３の通信手段２１を制御する。
【００４０】
なお、第１機器２の制御装置２０は、スマートデバイス１の制御装置１０と同様に、図４および図５に示すようなハードウェア構成によって実現される。そのため、ここでは説明を省略する。
【００４１】
（第２機器３）
図１の第２機器３は、例えば電子レンジであり、簡易な情報を通知することができる簡易通知機能を有している。図８は、図１の第２機器３の構成の一例を示すブロック図である。図８に示すように、第２機器３は、制御装置３０、第４の通信手段３１および通知手段３２を備えている。
【００４２】
第４の通信手段３１は、ＷｉＦｉ（登録商標）、Ｂｌｕｅｔｏｏｔｈ（登録商標）およびＬＡＮ等の通信方式を用いて、スマートデバイス１との間で行われる通信を、制御装置３０の命令に基づいて制御する。例えば、第４の通信手段３１は、制御装置３０による制御に基づき、通知情報をスマートデバイス１に送信する。
【００４３】
通知手段３２は、通知情報が示す通知の内容を簡易的に通知する。通知手段３２は、例えば、音声を出力するスピーカー等の音声出力部３２ａ、あるいは、文字等を表示する表示部３２ｂ（図１参照）であり、音声および画像の一方または両方により、ユーザーに対する通知を行う。
【００４４】
通知手段３２が音声出力部３２ａである場合、音声出力部３２ａは、一定の周波数の音声を連続的または断続的に出力することにより、数種類程度の通知を行う。
【００４５】
通知手段３２が表示部３２ｂである場合、表示部３２ｂは、例えば７セグメントＬＥＤ（Ｌｉｇｈｔ  Ｅｍｉｔｔｉｎｇ  Ｄｉｏｄｅ）等で構成され、７セグメントＬＥＤを用いた予め決められた数字の表示等によって通知を行う。また、表示部３２ｂは、例えば１または複数のＬＥＤで構成されてもよく、この場合には、ＬＥＤの点灯または点滅によって通知を行う。
【００４６】
制御装置３０は、通知手段３２による通知の制御、および、第４の通信手段３１による通信の制御等、第２機器３全体を制御する。特に、本実施の形態１において、制御装置３０は、通知手段３２を用いた通知により、通知すべき内容が正確に通知されているか否かを判断する処理等を行う。
【００４７】
図９は、図８の制御装置３０の構成の一例を示す機能ブロック図である。図９に示すように、制御装置３０は、通知情報生成部３０１、通知判断部３０２、通知制御部３０３および通信制御部３０４を備えている。制御装置３０は、ソフトウェアを実行することにより各種機能を実現するマイクロコンピュータなどの演算装置、もしくは各種機能に対応する回路デバイスなどのハードウェア等で構成されている。
【００４８】
通知情報生成部３０１は、第２機器３が動作している際に、通知が必要な状態が発生した場合に、ユーザーに対して通知すべき内容を含む通知情報を生成する。このとき、通知情報生成部３０１は、例えば、第２機器３に設けられた図示しないセンサ等の検出結果に基づき、通知情報を生成する。
【００４９】
通知判断部３０２は、通知手段３２により、通知情報生成部３０１で生成された通知情報が示す通知を第２機器３で正確に通知できるか否かを判断する。通知制御部３０３は、通知判断部３０２の判断結果に基づき、通知手段３２を制御する。具体的には、通知制御部３０３は、第２機器３で正確に通知できると判断された場合に、通知手段３２を用いて通知を行うように、通知手段３２を制御する。
【００５０】
通信制御部３０４は、通知判断部３０２の判断結果に基づき、第４の通信手段３１を制御する。具体的には、通信制御部３０４は、第２機器３で正確に通知できないと判断された場合に、正確な通知を行うことができないことを示す情報と、通知内容を含む通知情報とをスマートデバイス１に対して送信するように、第４の通信手段３１を制御する。
【００５１】
なお、第２機器３の制御装置３０は、スマートデバイス１の制御装置１０および第１機器２の制御装置２０と同様に、図４および図５に示すようなハードウェア構成によって実現される。そのため、ここでは説明を省略する。
【００５２】
［通知システム１００の動作］
次に、本実施の形態１に係る通知システム１００の動作について説明する。簡易通知機能を有する第２機器３から通知が行われた場合において、異常発生時等の通常動作時以外の通知が行われると、ユーザーは、通知内容を判断することが困難である。
【００５３】
そこで、通知システム１００では、簡易通知機能を有する第２機器３から通知が行われる場合において、第２機器３からの通知が正確でないとき、他の機器が代わりに通知を行う通知処理が行われる。本実施の形態１では、第２機器３から正確でない通知が行われた場合に、ユーザーに最も近い、詳細通知機能を有する第１機器２が第２機器３の代わりに通知を行うように、通知処理が行われる。
【００５４】
（通知処理）
図１０は、本実施の形態１に係る通知システム１００による通知処理の流れの一例を示すフローチャートである。まず、ステップＳ１において、第２機器３の通知情報生成部３０１は、図示しないセンサの検出結果等に基づき、ユーザーに対して通知すべき内容を含む通知情報を生成する。
【００５５】
ステップＳ２において、第２機器３の通知判断部３０２は、第２機器３の通知手段３２を用いて、生成された通知情報が示す通知を正確に行うことができるか否かを判断する。通知を正確に行うことができると判断された場合（ステップＳ２：Ｙｅｓ）、第２機器３の通知制御部３０３は、ステップＳ３において、通知手段３２を用いて、通知情報が示す通知を行う。一方、通知を正確に行うことができないと判断された場合（ステップＳ２：Ｎｏ）、第２機器３の通信制御部３０４は、ステップＳ４において、正確な通知を行うことができないことを示す情報を、通知内容を含む通知情報と共にスマートデバイス１に対して送信する。
【００５６】
ステップＳ５において、スマートデバイス１の制御装置１０は、接続された詳細通知機能を有する第１機器２の周囲に、通知対象であるユーザーの周囲に第１機器２が存在するか否かを判断する。具体的には、スマートデバイス１の接続機器制御部１０５は、詳細通知機能を有する第１機器２の周囲に存在するユーザーを検出するように、接続された第１機器２を制御する。スマートデバイス１の通信制御部１０４は、接続された第１機器２からユーザーの検出結果を示す検出情報を受信する。そして、スマートデバイス１のユーザー確認部１０２は、受信した情報に基づき、ユーザーの周囲に第１機器２が存在するか否かを判断する。
【００５７】
このとき、制御対象である第１機器２は、人体検出部２０２により周囲のユーザーを検出する。例えば、第１機器２に赤外線センサが設けられている場合、当該第１機器２の人体検出部２０２は、赤外線センサによる熱量の検出結果に基づき、ユーザーの位置を検出する。また、例えば、第１機器２にカメラが設けられている場合、当該第１機器２の人体検出部２０２は、カメラで撮像された撮像画像から、ユーザーを検出する。なお、スマートデバイス１の人体検出部１０１も同様に、周囲のユーザーを検出する。
【００５８】
ユーザーを検出した場合、第１機器２の通信制御部２０４は、ユーザーを検出したことを示す検出情報を、第３の通信手段２１を介してスマートデバイス１に送信する。
【００５９】
ステップＳ５において、ユーザーの周囲に第１機器２が存在すると判断された場合（ステップＳ５：Ｙｅｓ）、スマートデバイス１の通信制御部１０４は、ステップＳ６において、該当する第１機器２に対して通知情報を送信する。ここで、複数の第１機器２およびスマートデバイス１によってユーザーが検出された場合、スマートデバイス１のユーザー確認部１０２は、それぞれから受信した検出結果に基づき、例えばユーザーとの距離が最も近い機器を、通知対象の機器として選択する。
【００６０】
ステップＳ７において、通知対象機器としての第１機器２の通信制御部２０４は、スマートデバイス１から送信された通知情報を、第３の通信手段２１を介して受信する。そして、第１機器２の通知制御部２０３は、通知手段２２を用いて、受信した通知情報が示す通知を行う。
【００６１】
一方、ステップＳ５において、ユーザーの周囲に第１機器２が存在しないと判断された場合（ステップＳ５：Ｎｏ）、スマートデバイス１の通知制御部１０３は、ステップＳ８において、通知手段１３を用いて、通知情報が示す通知を行う。
【００６２】
ここで、ユーザーに対して詳細な通知を行う場合には、スマートデバイス１の通知手段１３または第１機器２の通知手段２２に対して、文字または画像による表示、あるいは、音声の出力が行われる。また、第１機器２の通知手段２２として表示部２２ｂが設けられている場合には、詳細な通知内容に関するＱＲコード（登録商標）を含む２次元コードまたはバーコード等のコード画像が表示されてもよい。
【００６３】
図１１は、詳細な通知を行う場合の第１機器２の表示部２２ｂの表示例について説明するための概略図である。図１１に示すように、第１機器２の通知手段２２としての表示部２２ｂには、例えば二次元コード２２０が表示される。この二次元コード２２０は、詳細な通知内容が記載されたインターネット上のサイト等に導くためのものである。
【００６４】
このように表示部２２ｂに表示された二次元コード２２０を、ＰＣ、スマートフォンまたはタブレット等の携帯端末等で読み取ることにより、ユーザーは、第２機器３からの通知に対する詳細な通知内容を知ることができる。
【００６５】
このように、本実施の形態１では、簡易通知機能を有する第２機器３で通知がなされる場合に、通知情報がスマートデバイス１に送信される。そして、スマートデバイス１によって、スマートデバイス１に接続された第１機器２の周囲にユーザーが存在するか否かが判断される。第１機器２の周囲にユーザーが存在する場合には、スマートデバイス１から当該第１機器２に通知情報が送信され、第１機器２は、第２機器３に代わり、受信した通知情報が示す通知を行う。これにより、第２機器３による通知では詳細が不明であるような通知でも、ユーザーの周囲の第１機器２によって詳細な通知が行われるため、通知機能が正確でない機器が通知した場合でも、正確な通知を適切に行うことができる。
【００６６】
以上のように、本実施の形態１に係る通知システム１００では、簡易通知機能を有する第２機器３が、通知手段３２による通知が通知内容を十分に示しているか否かを判断する。そして、当該通知が通知内容を十分に示していない場合に、詳細通知機能を有する、ユーザーに最も近いスマートデバイス１または第１機器２が通知を行う。これにより、詳細が不明であるような通知が行われる場合でも、詳細な通知を行うことができる機器によって通知が行われるため、正確な通知を適切に行うことができる。
【００６７】
なお、スマートデバイス１の通知手段１３が表示部であり、第１機器２の通知手段２２が表示部２２ｂである場合には、二次元コード等のコード画像が表示されてもよい。これにより、ユーザーが携帯端末等を用いてコード画像を読み取ることで、通知の詳細を確認することができる。
【００６８】
実施の形態２．
次に、本実施の形態２について説明する。本実施の形態２は、第２機器３により通知が発生した場合の通知の可否の確認方法が、実施の形態１と相違する。なお、以下の説明において、実施の形態１と共通する部分には同一の符号を付し、詳細な説明を省略する。
【００６９】
［通知システム１００の構成］
本実施の形態２に係る通知システム１００は、図１に示す実施の形態１に係る通知システム１００と同様に、スマートデバイス１、第１機器２、第２機器３およびサーバー４で構成されている。通知システム１００において、スマートデバイス１と、第１機器２および第２機器３とが、それぞれ有線または無線で接続されている。また、スマートデバイス１は、ネットワーク５を介してサーバー４が有線または無線で接続されている。
【００７０】
（サーバー４）
本実施の形態２において、サーバー４には、スマートデバイス１によって参照されるデータベースが設けられている。このデータベースには、スマートデバイス１に接続された第１機器２および第２機器３と、それぞれの機器が有する通知機能とが関連付けられた情報が格納されている。すなわち、スマートデバイス１は、データベースを参照することにより、機器が有する通知機能と、各機器による通知の度合いとを確認することができる。
【００７１】
（スマートデバイス１）
本実施の形態２に係るスマートデバイス１は、図２に示す実施の形態１に係るスマートデバイス１と同様に、制御装置１０、第１の通信手段１１、第２の通信手段１２および通知手段１３を備えている。
【００７２】
制御装置１０は、通知手段１３による通知の制御等、スマートデバイス１全体を制御する。特に、本実施の形態２において、制御装置１０は、第２の通信手段１２を介して第２機器３の通知状態を示す情報を取得し、取得した情報に基づき、第１の通信手段１１を介してサーバー４のデータベースを参照し、第２機器３の通知機能および通知の度合いを確認する。
【００７３】
図１２は、本実施の形態２に係るスマートデバイス１の制御装置１０の構成の一例を示す機能ブロック図である。図１２に示すように、制御装置１０は、データベース確認部１０６、通知判断部１０７、人体検出部１０１、ユーザー確認部１０２、通知制御部１０３、通信制御部１０４および接続機器制御部１０５を備えている。制御装置１０は、ソフトウェアを実行することにより各種機能を実現するマイクロコンピュータなどの演算装置、もしくは各種機能に対応する回路デバイスなどのハードウェア等で構成されている。
【００７４】
データベース確認部１０６は、通信制御部１０４の制御に基づき、第１の通信手段１１を介してサーバー４のデータベースを参照する。具体的には、データベース確認部１０６は、サーバー４のデータベースを参照し、通知情報の送信元である機器の通知機能および通知の度合いを確認する。
【００７５】
通知判断部１０７は、サーバー４のデータベースの参照結果に基づき、第２機器３から受信した通知情報が示す通知を第２機器３で正確に通知できるか否かを判断する。
【００７６】
通信制御部１０４は、第１の通信手段１１および第２の通信手段１２を制御する。具体的には、通信制御部１０４は、実施の形態１と同様に、第１機器２に対する通知情報の送信、および、第２機器３からの通知情報等の受信を行うように、第２の通信手段１２を制御する。また、通信制御部１０４は、サーバー４のデータベースを参照するために、第１の通信手段１１を介してサーバー４にアクセスする。
【００７７】
（第１機器２および第２機器３）
第１機器２は、図６および図７に示す実施形態１に係る第１機器２と同様の構成を備えている。また、第２機器３は、図８および図９に示す実施形態１に係る第２機器３と同様の構成を備えている。そのため、ここでは説明を省略する。
【００７８】
［通知システム１００の動作］
次に、本実施の形態２に係る通知システム１００の動作について説明する。本実施の形態２では、簡易通知機能を有する第２機器３から通知が行われる場合において、通知処理を行う際に、第２機器３からの通知が正確であるか否かを、サーバー４上のデータを確認することによって判断する。
【００７９】
（通知処理）
図１３は、本実施の形態２に係る通知システム１００による通知処理の流れの一例を示すフローチャートである。まず、ステップＳ１において、第２機器３の通知情報生成部３０１は、実施の形態１と同様に、図示しないセンサの検出結果等に基づき、ユーザーに対して通知すべき内容を含む通知情報を生成する。
【００８０】
ステップＳ１１において、第２機器３の通信制御部３０４は、ステップＳ１で生成された通知情報をスマートデバイス１に送信する。ステップＳ１２において、スマートデバイス１の通信制御部１０４は、第２の通信手段１２を介して通知情報を受信する。そして、スマートデバイス１のデータベース確認部１０６は、通信制御部１０４の制御に基づき、第１の通信手段１１を介してサーバー４上のデータベースを参照し、第２機器３の通知機能を確認する。
【００８１】
ステップＳ１３において、スマートデバイス１の通知判断部１０７は、第２機器３の通知手段３２によって正確な通知を行うことができるか否かを判断する。通知を正確に行うことができると判断された場合（ステップＳ１３：Ｙｅｓ）には、処理がステップＳ３に移行し、実施の形態１と同様に、第２機器３の通知制御部３０３の制御により、通知手段３２を用いた通知が行われる。
【００８２】
一方、通知を正確に行うことができないと判断された場合（ステップＳ１３：Ｎｏ）には、処理がステップＳ５に移行する。以下、実施の形態１で説明したステップＳ５〜ステップＳ８までの処理が行われ、ユーザーの周囲に存在する、詳細通知機能を有するスマートデバイス１または第１機器２による通知が行われる。
【００８３】
このように、本実施の形態２では、簡易通知機能を有する第２機器３で通知がなされる場合に、通知情報がスマートデバイス１に送信される。そして、スマートデバイス１がサーバー４のデータベースにアクセスすることにより、第２機器３の通知機能の状態が判断され、実施の形態１と同様に、ユーザーの周囲に存在するスマートデバイス１および第１機器２のいずれかにより通知が行われる。これにより、第２機器３による通知では詳細が不明であるような通知でも、ユーザーの周囲の第１機器２によって詳細な通知が行われるため、実施の形態１と同様に、通知機能が正確でない機器が通知した場合でも、正確な通知を適切に行うことができる。
【００８４】
以上のように、本実施の形態２に係る通知システム１００では、第２機器３が通知を行う場合に、スマートデバイス１が、サーバー４上のデータベースを参照し、当該通知が通知内容を十分に示しているか否かを判断する。そして、当該通知が通知内容を十分に示していない場合に、詳細通知機能を有する、ユーザーに最も近いスマートデバイス１または第１機器２が通知を行う。これにより、詳細が不明であるような通知が行われる場合でも、詳細な通知を行うことができる機器によって通知が行われるため、実施の形態１と同様に、正確な通知を適切に行うことができる。
【００８５】
また、スマートデバイス１および第１機器２のそれぞれは、ユーザーを検出し、スマートデバイス１は、検出結果に基づき、ユーザーに最も近い機器を、通知を行う機器として選択する。これにより、ユーザーに最も近い機器から詳細な通知が行われるため、ユーザーに対して通知を適切に行うことができる。
【００８６】
実施の形態３．
次に、本実施の形態３について説明する。本実施の形態３では、スマートデバイス１に接続されていない第２機器３が通知を行った場合に、第２機器３に代わって他の機器が通知を行う通知システムについて説明する。なお、以下の説明において、実施の形態１および２と共通する部分には同一の符号を付し、詳細な説明を省略する。
【００８７】
［通知システム１００の構成］
図１４は、本実施の形態３に係る通知システム１００の構成の一例を示す概略図である。図１４に示すように、本実施の形態３に係る通知システム１００は、図１に示す実施の形態１および２に係る通知システム１００と同様に、スマートデバイス１、第１機器２、第２機器３およびサーバー４で構成されている。ここで、本実施の形態３に係る通知システム１００では、実施の形態１および２と同様に、スマートデバイス１と第１機器２とが、それぞれ有線または無線で接続されている。また、スマートデバイス１は、ネットワーク５を介してサーバー４が有線または無線で接続されている。一方、第２機器３は、スマートデバイス１と接続されていない。
【００８８】
（サーバー４）
本実施の形態３において、サーバー４には、スマートデバイス１によって参照されるデータベースが設けられている。このデータベースには、簡易通知機能を有する第２機器３からの通知音と、通知音が示す通知内容とが関連付けられた情報が格納されている。すなわち、スマートデバイス１は、データベースを参照することにより、収集した音声から得られる通知音に対応する通知内容を確認することができる。
【００８９】
（スマートデバイス１）
本実施の形態３に係るスマートデバイス１は、通知手段１３に加えて、ＡＩアシスタント機能を用いてユーザーからの質問等を収集するための集音手段１４を有している。この集音手段１４は、本実施の形態３において、第２機器３によって通知が行われた際に出力される通知音を収集するために用いられる。
【００９０】
図１５は、図１４のスマートデバイス１の構成の一例を示すブロック図である。図１５に示すように、スマートデバイス１は、制御装置１０、第１の通信手段１１、第２の通信手段１２、通知手段１３および集音手段１４を備えている。集音手段１４は、例えばマイクロフォンであり、周囲の音声を収集し、収集した音声を制御装置１０に供給する。
【００９１】
制御装置１０は、通知手段１３による通知の制御、および、集音手段１４による音声の収集の制御等、スマートデバイス１全体を制御する。特に、本実施の形態３において、制御装置１０は、第２の通信手段１２を介して、接続された第１機器２で収集された第２機器３の通知音を取得する。そして、制御装置１０は、取得した通知音に基づき、第１の通信手段１１を介してサーバー４のデータベースを参照し、第２機器３の通知が十分であるか否かを判断する。
【００９２】
図１６は、図１５の制御装置１０の構成の一例を示す機能ブロック図である。図１６に示すように、制御装置１０は、集音部１０８、音声解析部１０９、データベース確認部１０６、通知判断部１０７、ユーザー確認部１０２、通知制御部１０３、通信制御部１０４および接続機器制御部１０５を備えている。制御装置１０は、ソフトウェアを実行することにより各種機能を実現するマイクロコンピュータなどの演算装置、もしくは各種機能に対応する回路デバイスなどのハードウェア等で構成されている。
【００９３】
集音部１０８は、集音手段１４によって収集された周囲の音声を取得する。音声解析部１０９は、集音部１０８で取得された音声を解析し、音声の中から第２機器３からの通知音を抽出する。
【００９４】
本実施の形態３において、ユーザー確認部１０２は、後述するように、通知手段１３に第２機器３からの通知音に対する詳細な通知の必要性の有無を判断する。また、データベース確認部１０６は、通信制御部１０４の制御に基づき、第１の通信手段１１を介してサーバー４のデータベースを参照する。具体的には、データベース確認部１０６は、サーバー４のデータベースを参照し、収集された通知音に対応する通知内容を確認する。
【００９５】
本実施の形態３において、通知判断部１０７は、サーバー４のデータベースの参照結果に基づき、第２機器３からの通知音が通知内容を十分に示しているか否かを判断する。
【００９６】
（第１機器２）
本実施の形態３に係る図１４の第１機器２は、通知手段２２に加えて、周囲の音声を収集するための集音手段２３を有している。この集音手段２３は、本実施の形態３において、第２機器３によって通知が行われた際に出力される通知音を収集するために用いられる。
【００９７】
図１７は、図１４の第１機器２の構成の一例を示すブロック図である。図１７に示すように、第１機器２は、制御装置２０、第３の通信手段２１、通知手段２２および集音手段２３を備えている。集音手段２３は、例えばマイクロフォンであり、周囲の音声を収集し、収集した音声を制御装置２０に供給する。
【００９８】
制御装置２０は、通知手段２２による通知の制御、および、集音手段２３による音声の収集の制御等、第１機器２全体を制御する。特に、本実施の形態３において、制御装置２０は、集音手段２３により周囲の音声を収集する。そして、制御装置１０は、収集した音声から特定の音声である通知音を抽出する。
【００９９】
図１８は、図１７の制御装置２０の構成の一例を示す機能ブロック図である。図１８に示すように、制御装置２０は、集音部２０５、音声解析部２０６、通知情報生成部２０１、通知制御部２０３および通信制御部２０４を備えている。制御装置２０は、ソフトウェアを実行することにより各種機能を実現するマイクロコンピュータなどの演算装置、もしくは各種機能に対応する回路デバイスなどのハードウェア等で構成されている。
【０１００】
集音部２０５は、集音手段２３によって収集された周囲の音声を取得する。音声解析部２０６は、集音部２０５で取得された音声を解析し、音声の中から第２機器３からの通知音を抽出する。
【０１０１】
（第２機器３）
本実施の形態３に係る図１４の第２機器３は、例えば電子レンジであり、簡易な情報を通知することができる簡易通知機能を有している。上述したように、本実施の形態３に係る第２機器３は、スマートデバイス１には接続されておらず、独立して設けられている。図１９は、図１４の第２機器３の構成の一例を示すブロック図である。図１９に示すように、第２機器３は、制御装置３０および通知手段３２を備えている。制御装置３０は、通知手段３２による通知の制御等、第２機器３全体を制御する。
【０１０２】
図２０は、図１９の制御装置３０の構成の一例を示す機能ブロック図である。図２０に示すように、制御装置３０は、通知情報生成部３０１および通知制御部３０３を備えている。制御装置３０は、ソフトウェアを実行することにより各種機能を実現するマイクロコンピュータなどの演算装置、もしくは各種機能に対応する回路デバイスなどのハードウェア等で構成されている。
【０１０３】
［通知システム１００の動作］
次に、本実施の形態３に係る通知システム１００の動作について説明する。本実施の形態３では、簡易通知機能を有する第２機器３から通知が行われる場合において、通知処理を行う際に、第２機器３から出力される通知が、スマートデバイス１および第１機器２によって収集される。そして、収集された通知に基づき、第２機器３の代わりに通知を行う機器が選択され、選択された機器による通知が行われる。
【０１０４】
（通知処理）
図２１は、本実施の形態３に係る通知システム１００による通知処理の流れの一例を示すフローチャートである。なお、以下では、第２機器３の通知手段３２が通知音を出力する音声出力部３２ａである場合について説明する。
【０１０５】
まず、ステップＳ１において、第２機器３の通知情報生成部３０１は、実施の形態１および２と同様に、図示しないセンサの検出結果等に基づき、ユーザーに対して通知すべき内容を含む通知情報を生成する。ステップＳ２１において、第２機器３の通知制御部３０３は、通知手段３２としての音声出力部３２ａを用いて、通知音を出力する。
【０１０６】
ステップＳ２２において、第２機器３から出力された通知音を集音できる機器が存在するか否かが判断される。この場合、集音手段１４が設けられたスマートデバイス１と、集音手段２３が設けられた第１機器２とが、第２機器３からの通知音を集音できる機器となる。通知音を集音できる機器が存在しない場合には（ステップＳ２２：Ｎｏ）、第２機器３から通知音が出力されるのみで、一連の処理が終了する。
【０１０７】
一方、通知音を集音できる機器が存在する場合（ステップＳ２２：Ｙｅｓ）、対象機器（ここでは、第１機器２とする）の集音部２０５は、ステップＳ２３において、集音手段２３を用いて第２機器３からの通知音を含む周囲の音声を収集する。そして、周囲の音声を収集した第１機器２の音声解析部２０６は、収集した音声を解析し、通知音を抽出する。
【０１０８】
ステップＳ２４において、第１機器２の通信制御部２０４は、第３の通信手段２１を介して、抽出した通知音をスマートデバイス１に送信する。スマートデバイス１に送信された通知音は、スマートデバイス１の通信制御部１０４により、第２の通信手段１２を介してスマートデバイス１に受信される。このとき、通信制御部１０４は、通知音を収集したすべての機器から通知音を受信する。
【０１０９】
ステップＳ２５において、スマートデバイス１のデータベース確認部１０６は、通信制御部１０４の制御に基づき、第１の通信手段１１を介してサーバー４上のデータベースを参照し、収集した通知音に対応する通知内容を確認する。そして、スマートデバイス１の通知判断部１０７は、データベースの確認結果に基づき、第２機器３からの通知音が通知内容を十分に示しているか否かを判断する。
【０１１０】
第２機器３からの通知音が通知内容を十分に示していると判断された場合（ステップＳ２５：Ｙｅｓ）には、一連の処理が終了する。一方、第２機器３からの通知音が通知内容を十分に示していないと判断された場合（ステップＳ２５：Ｎｏ）には、処理がステップＳ２６に移行する。ステップＳ２６において、スマートデバイス１の通知制御部１０３は、通知手段１３を用いてユーザーに対して詳細な通知の必要性を確認するための通知を行う。
【０１１１】
ステップＳ２７において、スマートデバイス１のユーザー確認部１０２は、ユーザーからの応答に基づき、詳細な通知の必要性の有無を判断する。詳細な通知の必要性がないと判断された場合（ステップＳ２７：Ｎｏ）には、一連の処理が終了する。
【０１１２】
一方、詳細な通知の必要性があると判断された場合（ステップＳ２７：Ｙｅｓ）には、スマートデバイス１の接続機器制御部１０５は、ステップＳ２８において、複数の機器から通知音を収集した場合に、複数の機器の中から、詳細な通知を行う機器を選択する。この場合、例えば、複数の機器によって収集された通知音の中から、音圧レベルが最も高い機器、あるいは、通知音を最初に検出した機器が選択される。これは、第２機器３から最も近い機器が選択されることになり、通知を行う第２機器３の近くにいると考えられるユーザーに対して詳細な通知を確実に通知することができるためである。
【０１１３】
ステップＳ２９において、スマートデバイス１の通信制御部１０４は、第２の通信手段１２を介して、選択された機器に対して通知音に対応する通知内容を含む通知情報を送信する。ステップＳ３０において、選択された機器（例えば、第１機器２）の通信制御部２０４は、スマートデバイス１から送信された通知情報を、第３の通信手段２１を介して受信する。そして、第１機器２の通知制御部２０３は、通知手段２２を用いて、受信した通知情報が示す通知、すなわち、第２機器３からの通知に対応する詳細な通知を行う。
【０１１４】
このように、本実施の形態３では、スマートデバイス１に接続されていない第２機器３で通知がなされる場合に、第１機器２等の他の機器が第２機器３からの通知音を収集する。そして、スマートデバイス１がサーバー４にアクセスし、収集された通知音が通知内容を十分に示しているか否かが判断される。そして、通知音が通知内容を十分に示していない場合に、第２機器３に最も近い機器が第２機器３に代わって通知を行う。これにより、第２機器３がスマートデバイス１に接続されていない場合に、詳細が不明な通知が行われた場合でも、実施の形態１および２と同様に、正確な通知を適切に行うことができる。
【０１１５】
以上のように、本実施の形態３に係る通知システム１００では、スマートデバイス１および第１機器２により、第２機器３からの通知音が収集される。スマートデバイス１は、収集された通知音に基づき、サーバー４上のデータベースを参照し、当該通知が通知内容を十分に示しているか否かを判断する。そして、当該通知が通知内容を十分に示していない場合に、詳細通知機能を有する、ユーザーに最も近いスマートデバイス１または第１機器２が通知を行う。これにより、詳細が不明であるような通知が行われる場合でも、詳細な通知を行うことができる機器によって通知が行われるため、実施の形態１および２と同様に、正確な通知を適切に行うことができる。
【０１１６】
また、スマートデバイス１は、スマートデバイス１および第１機器２のそれぞれの機器のうち、通知音の音圧レベルが最も高い機器および通知音を最初に収集した機器のいずれかの機器を、通知内容の通知を行う機器として選択する。これにより、ユーザーに最も近い機器から詳細な通知が行われるため、ユーザーに対して通知を適切に行うことができる。
【０１１７】
以上、実施の形態１〜３について説明したが、通知システム１００は、上述した実施の形態１〜３に限定されるものではなく、要旨を逸脱しない範囲内で様々な変形や応用が可能である。例えば、実施の形態１〜３では、スマートデバイス１を構成要件の一部として説明したが、これはこの例に限られない。例えば、第１機器２が、スマートデバイス１が有する機能と、サーバー４に接続する接続手段とを有していれば、スマートデバイス１を用いることなく実施の形態１〜３の通知システム１００を構成することができる。
【符号の説明】
【０１１８】
１  スマートデバイス、２  第１機器、３  第２機器、４  サーバー、５  ネットワーク、１０  制御装置、１１  第１の通信手段、１２  第２の通信手段、１３  通知手段、１３ａ  音声出力部、１４  集音手段、２０  制御装置、２１  第３の通信手段、２２  通知手段、２２ａ  音声出力部、２２ｂ  表示部、２３  集音手段、３０  制御装置、３１  第４の通信手段、３２  通知手段、３２ａ  音声出力部、３２ｂ  表示部、４１  処理回路、５１  プロセッサ、５２  メモリ、１００  通知システム、１０１  人体検出部、１０２  ユーザー確認部、１０３  通知制御部、１０４  通信制御部、１０５  接続機器制御部、１０６  データベース確認部、１０７  通知判断部、１０８  集音部、１０９  音声解析部、２０１  通知情報生成部、２０２  人体検出部、２０３  通知制御部、２０４  通信制御部、２０５  集音部、２０６  音声解析部、２２０  二次元コード、３０１  通知情報生成部、３０２  通知判断部、３０３  通知制御部、３０４  通信制御部。
【図１】
2020190790.tif 000003
【図２】
2020190790.tif 000004
【図３】
2020190790.tif 000005
【図４】
2020190790.tif 000006
【図５】
2020190790.tif 000007
【図６】
2020190790.tif 000008
【図７】
2020190790.tif 000009
【図８】
2020190790.tif 000010
【図９】
2020190790.tif 000011
【図１０】
2020190790.tif 000012
【図１１】
2020190790.tif 000013
【図１２】
2020190790.tif 000014
【図１３】
2020190790.tif 000015
【図１４】
2020190790.tif 000016
【図１５】
2020190790.tif 000017
【図１６】
2020190790.tif 000018
【図１７】
2020190790.tif 000019
【図１８】
2020190790.tif 000020
【図１９】
2020190790.tif 000021
【図２０】
2020190790.tif 000022
【図２１】
2020190790.tif 000023